【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
ポータブルコンピューティングデバイスにおいて電流を監視し制御することによって、熱負荷を低減するための方法であって、
前記ポータブルコンピューティングデバイスの温度を監視するステップと、
前記温度が温度閾値条件に達したかどうかを判定するステップと、
前記温度が前記温度閾値条件に達した場合、複数の電源デバイスであって、１つ以上の関連するハードウェアデバイスへの電力を制御する各電源デバイスから出る電流を監視するステップと、
前記複数の電源デバイスの１つから出る前記電流が電流閾値条件を超えた場合、熱軽減技法に関与するための、前記電流に対応する前記ハードウェアデバイスを選択するステップと
を含む、方法。
【請求項２】
前記ハードウェアデバイスへの電流が低減された熱軽減技法を適用するステップをさらに含む、請求項1に記載の方法。
【請求項３】
前記ハードウェアデバイスへの前記電流が期間に従って制限される熱軽減技法を適用するステップをさらに含む、請求項1に記載の方法。
【請求項４】
前記ハードウェアデバイスに対して許可される最大周波数を制限することを含む、DVFS熱軽減技法を適用するステップをさらに含む、請求項1に記載の方法。
【請求項５】
前記DVFS熱軽減技法が、マルチコアシステムにおいて複数のコアの最大周波数を制限することと、制約されない方式で動作するコアの所定の数によるスケーリングのために所定の数のコアを選択することとのうちの1つを含む、請求項4に記載の方法。
【請求項６】
電源デバイスから出る前記監視された電流にフィルタリング技法を適用するステップをさらに含む、請求項1に記載の方法。
【請求項７】
内部熱センサと外部熱センサの少なくとも1つによって、前記ポータブルコンピューティングデバイスの温度を監視するステップをさらに含む、請求項1に記載の方法。
【請求項８】
温度変化が少なくとも1つの熱センサによって検出されたかどうかを判定するステップをさらに含む、請求項7に記載の方法。
【請求項９】
前記温度変化が熱センサによって検出された場合に、温度測定値が検出される頻度、または電源デバイスから出る電流が監視される頻度を上げるステップをさらに含む、請求項8に記載の方法。
【請求項１０】
前記温度閾値条件が複数の熱状態を含み、各熱状態が温度の範囲を含む、請求項1に記載の方法。
【請求項１１】
ポータブルコンピューティングデバイスにおいて電流を監視し制御することによって、熱負荷を低減するためのコンピュータシステムであって、
前記ポータブルコンピューティングデバイスの温度を監視し、
前記温度が温度閾値条件に達したかどうかを判定し、
前記温度が前記温度閾値条件に達した場合、複数の電源デバイスであって、１つ以上の関連するハードウェアデバイスへの電力を制御する各電源デバイスから出る電流を監視し、
前記電流が電流閾値条件を超えた場合、熱軽減技法に関与するための、前記電流に対応する前記ハードウェアデバイスを選択する
ために動作可能なプロセッサを含む、コンピュータシステム。
【請求項１２】
前記プロセッサがさらに、
前記ハードウェアデバイスへの電流が低減された熱軽減技法を適用するために動作可能である、請求項11に記載のシステム。
【請求項１３】
前記プロセッサがさらに、
前記ハードウェアデバイスへの前記電流が期間に従って制限される熱軽減技法を適用するために動作可能である、請求項11に記載のシステム。
【請求項１４】
前記プロセッサがさらに、
前記ハードウェアデバイスに対して許可される最大周波数を制限することを含む、DVFS熱軽減技法を適用するために動作可能である、請求項11に記載のシステム。
【請求項１５】
前記DVFS熱軽減技法が、マルチコアシステムにおいて複数のコアの最大周波数を制限することと、制約されない方式で動作するコアの所定の数によるスケーリングのために所定の数のコアを選択することとのうちの1つを含む、請求項14に記載のシステム。
【請求項１６】
前記プロセッサが、
電源デバイスから出る前記監視された電流にフィルタリング技法を適用するために動作可能である、請求項11に記載のシステム。
【請求項１７】
前記プロセッサがさらに、
内部熱センサと外部熱センサの少なくとも1つによって、前記ポータブルコンピューティングデバイスの温度を監視するために動作可能である、請求項11に記載のシステム。
【請求項１８】
前記プロセッサがさらに、
温度変化が少なくとも1つの熱センサによって検出されたかどうかを判定するために動作可能である、請求項17に記載のシステム。
【請求項１９】
前記プロセッサがさらに、
温度変化が熱センサによって検出された場合、温度測定値が検出される頻度、または電源デバイスから出る電流が監視される頻度を上げるために動作可能である、請求項11に記載のシステム。
【請求項２０】
前記温度閾値条件が複数の熱状態を含み、各熱状態が温度の範囲を含む、請求項11に記載のシステム。
【請求項２１】
ポータブルコンピューティングデバイスにおいて電流を監視し制御することによって、熱負荷を低減するためのコンピュータシステムであって、
前記ポータブルコンピューティングデバイスの温度を監視するための手段と、
前記温度が温度閾値条件に達したかどうかを判定するための手段と、
前記温度が前記温度閾値条件に達した場合、複数の電源デバイスから出る電流を監視するための手段であって、各電源デバイスが１つ以上の関連するハードウェアデバイスへの電力を制御する、監視するための手段と、
前記電流が電流閾値条件を超えた場合、熱軽減技法に関与するための、前記電流に対応する前記ハードウェアデバイスを選択するための手段と
を含む、コンピュータシステム。
【請求項２２】
前記ハードウェアデバイスへの電流が低減された熱軽減技法を適用するための手段をさらに含む、請求項21に記載のシステム。
【請求項２３】
前記ハードウェアデバイスへの前記電流が期間に従って制限される熱軽減技法を適用するための手段をさらに含む、請求項21に記載のシステム。
【請求項２４】
前記ハードウェアデバイスに対して許可される最大周波数を制限することを含む、DVFS熱軽減技法を適用するための手段をさらに含む、請求項21に記載のシステム。
【請求項２５】
前記DVFS熱軽減技法が、マルチコアシステムにおいて複数のコアの最高周波数を制限することと、制約されない方式で動作するコアの所定の数によるスケーリングのために所定の数のコアを選択することとのうちの1つを含む、請求項24に記載のシステム。
【請求項２６】
電源デバイスから出る前記監視された電流にフィルタリング技法を適用するための手段をさらに含む、請求項21に記載のシステム。
【請求項２７】
内部熱センサと外部熱センサの少なくとも1つによって、前記ポータブルコンピューティングデバイスの温度を監視するための手段をさらに含む、請求項21に記載のシステム。
【請求項２８】
温度変化が少なくとも1つの熱センサによって検出されたかどうかを判定するための手段をさらに含む、請求項21に記載のシステム。
【請求項２９】
前記温度変化が熱センサによって検出された場合、温度測定値が検出される頻度、または電源デバイスから出る電流が監視される頻度を上げるための手段をさらに含む、請求項28に記載のシステム。
【請求項３０】
前記温度閾値条件が複数の熱状態を含み、各熱状態が温度の範囲を含む、請求項21に記載のシステム。
【請求項３１】
ポータブルコンピューティングデバイスにおいて電流を監視し制御することによって熱負荷を低減するための方法を実施するために実行されるように適合されたコンピュータ可読プログラムコードを含むコンピュータプログラムであって、前記方法が、
前記ポータブルコンピューティングデバイスの温度を監視するステップと、
前記温度が温度閾値条件に達したかどうかを判定するステップと、
前記温度が前記温度閾値条件に達した場合、複数の電源デバイスであって、１つ以上の関連するハードウェアデバイスへの電力を制御する各電源デバイスから出る電流を監視するステップと、
前記電流が電流閾値条件を超えた場合、熱軽減技法に関与するための、前記電流に対応する前記ハードウェアデバイスを選択するステップと
を含む、コンピュータプログラム。
【請求項３２】
前記方法を実施する前記プログラムコードがさらに、
前記ハードウェアデバイスへの電流が低減された熱軽減技法を適用するステップ
を含む、請求項31に記載のコンピュータプログラム。
【請求項３３】
前記方法を実施する前記プログラムコードがさらに、
前記ハードウェアデバイスへの前記電流が期間に従って制限される熱軽減技法を適用するステップ
を含む、請求項31に記載のコンピュータプログラム。
【請求項３４】
前記方法を実施する前記プログラムコードがさらに、
前記ハードウェアデバイスに対して許可される最大周波数を制限することを含む、DVFS熱軽減技法を適用するステップ
を含む、請求項31に記載のコンピュータプログラム。
【請求項３５】
前記DVFS熱軽減技法が、マルチコアシステムにおいて複数のコアの最高周波数を制限することと、制約されない方式で動作するコアの所定の数によるスケーリングのために所定の数のコアを選択することとのうちの1つを含む、請求項34に記載のコンピュータプログラム。
【請求項３６】
前記方法を実施する前記プログラムコードがさらに、
電源デバイスから出る前記監視された電流にフィルタリング技法を適用するステップ
を含む、請求項31に記載のコンピュータプログラム。
【請求項３７】
前記方法を実施する前記プログラムコードがさらに、
内部熱センサと外部熱センサの少なくとも1つによって、前記ポータブルコンピューティングデバイスの温度を監視するステップ
を含む、請求項31に記載のコンピュータプログラム。
【請求項３８】
前記方法を実施する前記プログラムコードがさらに、
温度変化が少なくとも1つの熱センサによって検出されたかどうかを判定するステップ
を含む、請求項37に記載のコンピュータプログラム。
【請求項３９】
前記方法を実施する前記プログラムコードがさらに、
前記温度変化が熱センサによって検出された場合、温度測定値が検出される頻度、または電源デバイスから出る電流が監視される頻度を上げるステップ
を含む、請求項38に記載のコンピュータプログラム。
【請求項４０】
前記温度閾値条件が複数の熱状態を含み、各熱状態が温度の範囲を含む、請求項31に記載のコンピュータプログラム。